(57)【要約】  ＣＶＴは、ベルト（３）が掛け渡されたプライマリプーリ（１）およびセカンダリプーリ（２）と、プーリ油圧を制御する油圧制御弁（５，６，７）と、を備える。ＣＶＴコントローラ（８）は、プーリ油圧指示値に基づいて、油圧制御弁（５，６，７）のソレノイド（５ａ，６ａ，７ａ）へ出力するベース電流指示値を設定する。ＣＶＴコントローラ（８）のディザ制御部（５８）は、プーリ油圧制御中、ベルト滑り判定情報に基づいてベルト滑りが発生する可能性が高い状況であると判定した場合に、ソレノイド（５ａ，６ａ，７ａ）へ出力するベース電流指示値に対してディザ電流を重畳する。
2019098162.tif 000002
【特許請求の範囲】
【請求項１】
ベルトが掛け渡されたプライマリプーリとセカンダリプーリへのプーリ油圧を制御する油圧制御弁と、
前記プライマリプーリと前記セカンダリプーリへのプーリ油圧指示値に基づいて、前記油圧制御弁のソレノイドへ出力するベース電流指示値を設定するコントローラと、
を備える無段変速機の制御装置において、
前記コントローラは、プーリ油圧制御中、前記ベルトの滑りが発生する可能性を判定するベルト滑り判定情報を取得し、
前記ベルト滑り判定情報に基づいてベルト滑りが発生する可能性が高い状況であると判定された場合、前記ソレノイドへ出力するベース電流指示値に対してディザ電流を重畳するディザ作動を実施するディザ制御部を有する、
無段変速機の制御装置。
【請求項２】
請求項１に記載された無段変速機の制御装置において、
前記ディザ制御部は、プーリ油圧制御中、前記ベルト滑り判定情報として、必要ベルト推力に対する実ベルト推力の比である安全率を取得し、
前記安全率が所定値よりも低いと判定された場合、ベルト滑り可能性が高い状況であると判定し、安全率判定によるディザ制御を実行する、
無段変速機の制御装置。
【請求項３】
請求項２に記載された無段変速機の制御装置において、
前記ディザ制御部は、前記安全率が所定値よりも低いとの安全率判定状態が設定時間継続することを開始条件とし、開始条件の成立によりディザ作動を開始する、
無段変速機の制御装置。
【請求項４】
請求項１に記載された無段変速機の制御装置において、
前記ディザ制御部は、プーリ油圧制御中、前記ベルト滑り判定情報として、オイルポンプからの吐出油量に基づく油量収支により決まるセカンダリ圧の下限圧である油量収支下限圧を取得し、
前記実セカンダリ圧が前記油量収支下限圧より低圧であると判定された場合、ベルト滑り可能性が高い状況であると判定し、セカンダリ圧低下判定によるディザ制御を実行する、
無段変速機の制御装置。
【請求項５】
請求項４に記載された無段変速機の制御装置において、
前記ディザ制御部は、セカンダリ圧低下判定によるディザ制御を実行する際、プーリ油圧制御が定常状態であるか過渡状態であるかにより開始条件を異ならせ、
定常状態での開始条件を、セカンダリ圧低下判定があってからディザ作動を開始するまでの時間を遅らせる条件に設定し、
過渡状態での開始条件を、セカンダリ圧低下判定があってからディザ作動を開始するまでの時間を、定常状態での開始条件に比べて短縮する条件に設定する、
無段変速機の制御装置。
【請求項６】
請求項１に記載された無段変速機の制御装置において、
前記ディザ制御部は、プーリ油圧制御中、指示セカンダリ圧と実セカンダリ圧との乖離による油圧偏差が所定圧以上であるか否かを判断し、
前記油圧偏差が所定圧以上であると判断された場合、必要ベルト推力に対する実ベルト推力の比である安全率を用いた安全率判定によるディザ制御と、オイルポンプからの吐出油量に基づく油量収支により決まる実セカンダリ圧の下限圧である油量収支下限圧を用いたセカンダリ圧低下判定によるディザ制御とを並列に実行する、
無段変速機の制御装置。
【請求項７】
ベルトが掛け渡されたプライマリプーリとセカンダリプーリへのプーリ油圧を制御する油圧制御弁を有する無段変速機の制御方法において、
前記プライマリプーリと前記セカンダリプーリへのプーリ油圧指示値に基づいて、前記油圧制御弁のソレノイドへ出力するベース電流指示値を設定し、
プーリ油圧制御中、前記ベルトの滑りが発生する可能性を判定するベルト滑り判定情報を取得し、
前記ベルト滑り判定情報に基づいてベルト滑りが発生する可能性が高い状況であると判定した場合、前記ソレノイドへ出力するベース電流指示値に対してディザ電流を重畳するディザ作動を実施する、
無段変速機の制御方法。
【請求項８】
請求項７に記載された無段変速機の制御方法において、
前記ベルト滑り判定情報として、必要ベルト推力に対する実ベルト推力の比である安全率を取得し、
前記安全率を所定値と比較し、
前記安全率が所定値よりも低い場合、ベルト滑り可能性が高い状況であると判定する、
無段変速機の制御方法。
【請求項９】
請求項７に記載された無段変速機の制御方法において、
前記ベルト滑り判定情報として、オイルポンプからの吐出油量に基づく油量収支により決まるセカンダリ圧の下限圧である油量収支下限圧を取得し、
実セカンダリ圧を前記油量収支下限圧と比較し、
前記実セカンダリ圧が前記油量収支下限圧より低圧である場合、ベルト滑り可能性が高い状況であると判定する、
無段変速機の制御方法。
【発明の詳細な説明】
【技術分野】
【０００１】
本発明は、ベルトが掛け渡されたプライマリプーリとセカンダリプーリへのプーリ油圧を制御する油圧制御弁を備える無段変速機の制御装置および制御方法に関する。
【背景技術】
【０００２】
従来、リニアソレノイド（油圧制御弁）による変速が行われていないとき、リニアソレノイドにディザ電流を供給し、油圧制御弁等にピストン運動を生じさせ、砂粒等の異物を除去する車両用自動変速機の制御装置が開示されている（例えば、特許文献１参照）。【０００３】
しかしながら、従来装置をベルト式無段変速機に適用した場合、プーリ油圧制御中に異物がリニアソレノイド、或いは、それが連結されている油圧制御弁に入り込むと、ソレノイドや制御弁にロック等を生じる。このため、セカンダリ油圧が低下し、ベルト滑りが発生するおそれがある。この異物除去にはディザ作動が有効であるが、ディザ作動を変速が行われていないとき常に実施する作動制御にすると、ディザ作動頻度が高過ぎることになり、油圧制御弁に余計な負荷がかかり耐久信頼性を損なう、という問題があった。【０００４】
本発明は、上記問題に着目してなされたもので、プーリ油圧制御中、油圧制御弁の耐久信頼性を損なうことなく、ベルト滑りの発生を未然に防止することを目的とする。
【先行技術文献】
【特許文献】
【０００５】
【特許文献１】特開平１１−８２７２４号公報
【発明の概要】
【０００６】
本発明は、ベルトが掛け渡されたプライマリプーリとセカンダリプーリへのプーリ油圧を制御する油圧制御弁と、油圧制御弁のソレノイドへ出力するベース電流指示値を設定するコントローラと、を備える。
この無段変速機の制御装置において、コントローラは、プーリ油圧制御中、ベルトの滑りが発生する可能性を判定するベルト滑り判定情報を取得し、ベルト滑り判定情報に基づいてベルト滑りが発生する可能性が高い状況であると判定された場合、ソレノイドへ出力するベース電流指示値に対してディザ電流を重畳するディザ作動を実施するディザ制御部を有する。
【０００７】
このように、ディザ作動の実施を、ベルト滑りが発生する可能性が高い状況であると判定された場合に限ることで、プーリ油圧制御中、油圧制御弁の耐久信頼性を損なうことなく、ベルト滑りの発生を未然に防止することができる。
【図面の簡単な説明】
【０００８】
【図１】実施例の制御装置が適用されたベルト式無段変速機を示す全体システム図である。
【図２】実施例のＣＶＴコントローラ及び油圧制御弁に有するディザ制御系の構成を示すブロック図である。
【図３】ディザ制御部からのディザ作動判定によるディザONのときのソレノイドへ印加する電流波形の一例を示す電流波形図である。
【図４】実施例のＣＶＴコントローラのディザ制御部にて実行されるベルト滑り対策によるディザ作動判定制御処理の流れを示すフローチャートである。
【図５】ディザ作動判定制御処理において用いられる安全率の計算を示す計算ブロック図である。
【図６】ディザ作動判定制御処理においてセカンダリ圧低下判定（定常）によるディザ作動領域とセカンダリ圧低下判定（過渡）によるディザ作動領域を示すイメージ図である。
【図７】安全率判定によるディザ作動時における安全率・ディザ制御作動要求フラグを示すタイムチャートである。
【図８】セカンダリ圧低下判定（定常）によるディザ作動時におけるアクセル開度・車速・目標Sec圧・Secセンサ圧・油圧偏差・油量収支下限圧−Secセンサ圧・低下判定回数・Sec圧低下判定フラグ・ディザ制御作動要求フラグの各特性を示すタイムチャートである。
【図９】セカンダリ圧低下判定（過渡）によるディザ作動時におけるアクセル開度・車速・目標Sec圧・Secセンサ圧・油圧偏差・油量収支下限圧−Secセンサ圧・Sec圧低下判定フラグ・ディザ制御作動要求フラグの各特性を示すタイムチャートである。
【発明を実施するための形態】
【０００９】
以下、本発明の無段変速機の制御装置を実現する最良の形態を、図面に示す実施例に基づいて説明する。
【００１０】
まず、構成を説明する。
実施例における無段変速機の制御装置は、変速機をベルト式無段変速機とし、走行用駆動源にエンジンを搭載したエンジン車やハイブリッド車等のエンジン搭載車両に適用したものである。以下、実施例の構成を、「全体システム構成」、「ディザ制御系の詳細構成」、「ベルト滑り対策によるディザ作動判定制御処理構成」に分けて説明する。
【００１１】
［全体システム構成］
図１は、実施例の制御装置が適用されたベルト式無段変速機を示す。以下、図１に基づき、ベルト式無段変速機CVTの全体システム構成を説明する。
【００１２】
ベルト式無段変速機CVTは、図１に示すように、プライマリプーリ１と、セカンダリプーリ２と、ベルト３と、を備えている。
【００１３】
プライマリプーリ１は、シーブ面１１ａを有する固定プーリ１１と、シーブ面１２ａを有する駆動プーリ１２と、の組み合わせにより構成され、図外の走行用駆動源（エンジンやモータ等）からの駆動トルクが入力される。駆動プーリ１２には、固定プーリ１１に対して駆動プーリ１２を軸方向に油圧駆動するプライマリ圧室１３が形成されている。
【００１４】
セカンダリプーリ２は、シーブ面２１ａを有する固定プーリ２１と、シーブ面２２ａを有する駆動プーリ２２と、の組み合わせにより構成され、終減速機等を介して駆動輪に駆動トルクを出力する。駆動プーリ２２には、固定プーリ２１に対して駆動プーリ２２を軸方向に油圧駆動するセカンダリ圧室２３が形成されている。
【００１５】
ベルト３は、プライマリプーリ１のシーブ面１１ａ，１２ａとセカンダリプーリ２のシーブ面２１ａ，２２ａに掛け渡され、シーブ面１１ａ，１２ａの対向間隔とシーブ面２１ａ，２２ａの対向間隔を変化させることで無段階に変速する。このベルト３は、例えば、円弧の面を持ったピン２本を背中合わせに重ね、多数のリンクで繋ぎ合わせた引っ張りによりトルクを伝達するチェーンベルト等により構成される。そして、ベルト３は、最ハイ変速比のとき、プライマリプーリ１に対する接触半径が最大半径で、セカンダリプーリ２に対する接触半径が最小半径となる。また、最ロー変速比のとき、図１に示すように、プライマリプーリ１に対する接触半径が最小半径で、セカンダリプーリ２に対する接触半径が最大半径となる。
【００１６】
ベルト式無段変速機CVTの油圧制御系としては、図１に示すように、オイルポンプ４と、ライン圧ソレノイド弁５（油圧制御弁）と、プライマリ圧ソレノイド弁６（油圧制御弁）と、セカンダリ圧ソレノイド弁７（油圧制御弁）と、を備えている。これらの弁（以下、油圧制御弁５，６，７という。）は、いずれもソレノイド５ａ，６ａ，７ａへ印加されるソレノイド電流により可動するスプール等によるソレノイド可動部を有する。なお、油圧制御弁５，６，７は、指示電流が最小で出力される制御圧が最大になり、指示電流が最大で出力される制御圧が最小になる形態である。
【００１７】
ライン圧ソレノイド弁５は、オイルポンプ４からのポンプ吐出圧に基づき、変速圧として最も高い油圧であるライン圧PLを調圧する。
【００１８】
プライマリ圧ソレノイド弁６は、ライン圧PLを元圧とし、プライマリ圧室１３へ導くプライマリ圧Ppriを調圧する。例えば、最ハイ変速比のとき、プライマリ圧Ppriは、ライン圧PLとされ、ロー変速比側へ移行するほど低圧の変速圧とされる。
【００１９】
セカンダリ圧ソレノイド弁７は、ライン圧PLを元圧とし、セカンダリ圧室２３へ導くセカンダリ圧Psecを調圧する。例えば、最ロー変速比のとき、セカンダリ圧Psecは、ライン圧PLとされ、ハイ変速比側へ移行するほど低圧の変速圧とされる。
【００２０】
ベルト式無段変速機CVTの電子制御系としては、図１に示すように、ベルト式無段変速機CVTの変速比制御等を行うＣＶＴコントローラ８（コントローラ）を備えている。ＣＶＴコントローラ８への入力センサとしては、車速センサ８１、アクセル開度センサ８２、CVT入力回転数センサ８３、CVT出力回転数センサ８４、プライマリ圧センサ８５、セカンダリ圧センサ８６、油温センサ８７、インヒビタースイッチ８８等を備えている。さらに、ＣＶＴコントローラ８へは、他の車載コントローラ９０からCAN通信線９１を介し、エンジントルク情報やエンジン回転数情報やバッテリ電源電圧情報等の制御に必要な情報がもたらされる。
【００２１】
ＣＶＴコントローラ８で実行される変速比制御は、車速センサ８１により検出される車速VSPとアクセル開度センサ８２により検出されるアクセル開度APOにより特定される変速スケジュール上での運転点により目標プライマリ回転数を決める。そして、目標プライマリ回転数を油圧指示値に変換し、油圧指示値をPWM制御によるリップル電流によるベース電流指示値に変換し、PWM周波数同期型の２自由度制御（FF＋PID）によってプライマリ圧Ppriとセカンダリ圧Psecを制御することで行われる。なお、「PWM制御」とは、所定の周波数によるパルス幅変調制御のこといい、「PWM」は「Pulse Width Modulation」の略である。「FF」はフィードフォワード制御のことであり、「PID」は比例(P)・積分(I)・微分(D)によるフィードバック制御（FB制御）のことである。
【００２２】
［ディザ制御系の詳細構成］
図２は、実施例のＣＶＴコントローラ８及び油圧制御弁５，６，７に有するディザ制御系の構成を示し、図３は、ディザ制御部５８でのディザ作動判定によるディザONのときのソレノイドへ印加する電流波形の一例を示す。以下、図２及び図３に基づいて、PWM周波数同期型の２自由度制御（FF＋PID）によるリップル電流波形にデイザ（Dither）を重畳するディザ制御系の詳細構成を説明する。
【００２３】
ＣＶＴコントローラ８には、図２に示すように、油圧/電流変換部１８と、電子キャリブ補正部２８と、ソレノイド電流制御部３８と、SOL駆動IC５１，６１，７１と、IF/制御切替部４８と、ディザ制御部５８と、を備えている。なお、「制御周期」としては、ディザによるうねり現象防止のため、PWMの偶数分周でディザ周波数を設定できるようにPWM周波数同期の関数を設けている。
【００２４】
ソレノイド電流制御部３８は、FF補償器３８ａと、ディザ指示部３８ｂと、第１加算器３８ｃと、位相合わせ部３８ｄと、減算器３８ｅと、PD補償部３８ｆと、第２加算器３８ｇと、電圧変動補正部３８ｈと、第３加算器３８ｉと、を有する。
【００２５】
FF補償器３８ａは、電流応答性を確保する。ディザ指示部３８ｂは、ディザ制御部５８からディザ作動要求が入力されている間、第１加算器３８ｃにディザ指示を出力する。このディザ指示は、油圧制御弁５，６，７のメカニカルなヒステリシスを低減する振幅を有し、その振幅を、パラメータ（ベース電流指示値，電源電圧，ENG回転，PL圧指示値，油温）によりスケジュールとして記憶している。第１加算器３８ｃは、振幅指示値のみでディザ振幅を調整するディザ別体型としている。
【００２６】
位相合わせ部３８ｄは、プラントダイナミクスと、IC-マイコン間の通信ディレイと、電流平均処理分の位相合わせを行う。なお、位相合わせ部３８ｄは、ゲインスケジュール（FF，位相合わせ，PD補償）を有する。PD補償部３８ｆは、減算器３８ｅからの電流偏差に対してPD補償をし、減衰特性を改善する。電圧変動補正部３８ｈは、電源電圧変動時に指示電流を補正して外乱抑制性を確保する。
【００２７】
SOL駆動IC５１，６１，７１は、PWM制御の指示値をソレノイド本体に送信する。ここで、SOL駆動IC５１，６１，７１は、実電流を検出する電流検出回路５１ａ，６１ａ，７１ａと、積分ＩによるFB制御器５１ｂ，６１ｂ，７１ｂと、を有する。
【００２８】
ディザ制御部５８は、プーリ油圧制御中、ベルト３の滑りが発生する可能性を判定するベルト滑り判定情報（油圧偏差、安全率、油量収支下限圧）を取得する。そして、ベルト滑り判定情報に基づきベルト滑りが発生する可能性が高い状況であると判定された場合、ソレノイド５ａ，６ａ，７ａへ出力するベース電流指示値に対してディザ電流を重畳するディザ作動（＝ディザON）を実施するディザ作動要求を出力する。つまり、ベルト滑りの発生可能性が無い状況やベルト滑りが発生する可能性が低い状況であると判定された場合、ディザ作動要求が出力されず、ソレノイド５ａ，６ａ，７ａへは、ディザ電流を重畳していないベース電流指示値（＝ディザOFF）が出力される。
【００２９】
ここで、「ディザON」にすると、各油圧制御弁５，６，７のソレノイド５ａ，６ａ，７ａに対して印加する電流波形が、図３に示すように、ベース電流指示値によるリップル電流波形に、ディザ電流波形を重畳して形成されるディザ作動波形に切り替えられる。なお、「ディザ電流波形」とは、リップル電流波形（例えば、数百Hz程度）よりも低周波数（例えば、数十Hz程度）の矩形電流波形をいう。
【００３０】
［ベルト滑り対策によるディザ作動判定制御処理構成］
図４は、実施例のＣＶＴコントローラ８のディザ制御部５８にて実行されるベルト滑り対策によるディザ作動判定制御処理の流れを示すフローチャートである。以下、ベルト滑り対策によるディザ作動判定制御処理構成をあらわす図４の各ステップについて説明する。なお、このディザ作動判定制御処理は、判定許可条件（ブレーキSW＝０、Sec圧F/B領域内、Ｎレンジ以外、スピン判定中以外、インヒビターSW異常でない、通常油圧制御モード、Eng回転許容領域内、等）が成立しているときに処理が許可される。また、判定許可条件が成立していても異常故障条件（Sec圧センサ異常、ETCフェイル、アクセル開度異常、CAN異常、Sec回転センサ異常、等）が成立すると処理は終了する。
【００３１】
ステップＳ１では、セカンダリ圧Psecの油圧偏差（＝指示圧−センサ圧）を計算し、ステップＳ２へ進む。
【００３２】
ここで、「指示圧」としては、変速比制御で運転点（VSP,APO）により求められた目標プライマリ回転数Npri*を油圧指示値（Pri圧指示値、Sec圧指示値）に変換したとき、Sec圧指示値（＝目標Sec圧）が用いられる。「センサ圧」としては、セカンダリ圧センサ８６により検出されるセカンダリプーリ２の油圧値であるsecセンサ圧（≒実圧）が用いられる。
【００３３】
ステップＳ２では、ステップＳ１での油圧偏差の計算に続き、油圧偏差が所定圧以上であるか否かを判断する。YES（油圧偏差≧所定圧）の場合はステップＳ３とステップＳ９へ進み、NO（油圧偏差＜所定圧）の場合はステップＳ８へ進む。
【００３４】
ここで、「所定圧」は、セカンダリ圧Psecの指示圧とセンサ圧とに乖離が発生していることを検知可能な乖離幅（例えば、0.25Mpa程度）に設定される。検知可能な乖離幅とは、セカンダリ圧センサ８６の検出値のバラツキを考慮しても、指示圧に対し実圧が乖離していると判定できる幅である。
【００３５】
ステップＳ３では、ステップＳ２での油圧偏差≧所定圧であるとの判定に続き、安全率を計算し、ステップＳ４へ進む。
【００３６】
ここで、「安全率」は、必要ベルト推力に対する実ベルト推力の比である（実ベルト推力／必要ベルト推力）の式により計算される。「実ベルト推力」は、図５に示すように、プーリ圧による油圧推力と、リターンスプリングによるバネ推力と、プーリ回転による遠心圧推力の総和により計算される。「必要推力」は、図５に示すように、必要推力＝Tin・cosθ/（2・μ・Ｒ）の式により計算される。但し、Tinはタービン軸上入力トルク、θはシーブ角、μは摩擦係数、Ｒは巻き付き半径である。なお、安全率は、例えば、１回の油振で安全率低下の検知が多発することを防止するために安全率計算値にフィルタ処理が施されて求められる。
【００３７】
ステップＳ４では、ステップＳ３での安全率の計算に続き、安全率が所定値未満であるか否かを判断する。YES（安全率＜所定値）の場合はステップＳ５へ進み、NO（安全率≧所定値）の場合はステップＳ８へ進む。
【００３８】
ここで、「所定値」は、ベルト３の滑りが発生する可能性が高いか否かを判定する閾値（例えば、“１”程度）に設定される。つまり、所定値＝１とすることで、実ベルト推力が必要ベルト推力だけ出ているか出ていないかを判定できる。
【００３９】
ステップＳ５では、ステップＳ４での安全率＜所定値であるとの判断に続き、安全率開始条件が成立しているか否かを判断する。YES（安全率開始条件成立）の場合はステップＳ６へ進み、NO（安全率開始条件不成立）の場合はステップＳ８へ進む。
【００４０】
ここで、「安全率開始条件」は、安全率＜所定値である状態を、入りタイマカウントによる設定時間（例えば、50msec程度）以上継続することである。つまり、安全率＜所定値である状態となっても設定時間内に安全率≧所定値となったり、油圧偏差＜所定圧となったりすると、入りタイマカウントがリセットされる。
【００４１】
ステップＳ６では、ステップＳ５での安全率開始条件成立との判断、或いは、ステップＳ７での終了条件不成立との判断に続き、ディザONにし、ステップＳ７へ進む。
ここで、「ディザON」とは、各油圧制御弁５，６，７のソレノイド５ａ，６ａ，７ａに対して印加するベース電流指示値によるリップル電流波形にディザ電流波形を重畳することをいう（図３参照）。なお、「ディザON」にする間、実セカンダリ油圧に応じたエンジンのトルク規制制御を、ディザ作動制御と同時制御により実行するのが好ましく、この場合、ベルト滑りの発生が速やかに抑制される。
【００４２】
ステップＳ７では、ステップＳ６でのディザONに続き、終了条件が成立しているか否かを判断する。YES（終了条件成立）の場合はステップＳ８へ進み、NO（終了条件不成立）の場合はステップＳ６へ戻る。
【００４３】
ここで、「終了条件」は、ディザONからの作動タイマカウントが所定時間（例えば、1sec程度）に到達したときとされる。なお、「終了条件」としては、安全率＜所定値となって所定時間が経過したとき、油圧偏差＜所定圧となって所定時間が経過したとき、等のようにベルト３の滑り可能性が無くなったことを示す条件により与えても良い。
【００４４】
ステップＳ８では、ステップＳ７，１３，１６での終了条件成立であるとの判断、或いは、ステップＳ２，Ｓ４，Ｓ５，Ｓ９，Ｓ１１，Ｓ１４でのNOであるとの判断に続き、ディザOFFにし、リターンへ進む。
【００４５】
ここで、「ディザOFF」とは、各油圧制御弁５，６，７のソレノイド５ａ，６ａ，７ａに対してディザ電流波形を重畳することなく、ベース電流指示値によるリップル電流波形を印加することをいう。
【００４６】
ステップＳ９では、ステップＳ２での油圧偏差≧所定圧であるとの判定に続き、実セカンダリ圧が油量収支下限圧未満であるか否かを判断する。YES（実セカンダリ圧＜油量収支下限圧）の場合はステップＳ１０へ進み、NO（実セカンダリ圧≧油量収支下限圧）の場合はステップＳ８へ進む。
【００４７】
ここで、「実セカンダリ圧」としては、セカンダリ圧センサ８６により検出されるSecセンサ圧（≒実圧）が用いられる。「油量収支下限圧」としては、オイルポンプ４からの吐出油量に基づく油量収支により決まるセカンダリ圧Psecの下限圧が用いられる。つまり、油量収支下限圧は、オイルポンプ４がエンジンにより駆動される場合、セカンダリ圧の油量収支下限圧を、エンジン回転数の大きさや変速比等により予め実験等により決めておき、これを演算式化やマップ化することで求められる。
【００４８】
ステップＳ１０では、ステップＳ９での実セカンダリ圧＜油量収支下限圧であるとの判断に続き、変速油圧制御が定常状態であるか否かを判断する。YES（定常状態）の場合はステップＳ１１へ進み、NO（過渡状態）の場合はステップＳ１４へ進む。
【００４９】
ここで、「定常状態」とは、運転点（VSP,APO）の変化が無い又は変化が小さく、変速比や変速油圧（プライマリ圧、セカンダリ圧）の変動が無い又は変動が小さくて安定している状態をいう。よって、「定常状態」は、例えば、車速変化量が所定車速（例えば、15Km/h）以下で、且つ、アクセル開度変化量が所定開度（例えば、5deg）以下であることにより判断する。一方、「過渡状態」とは、運転点（VSP,APO）の変化が大きく、変速比や変速油圧（プライマリ圧、セカンダリ圧）の変動が大きくて不安定な状態をいう。なお、実施例においては、「定常状態」以外であるとき「過渡状態」と判断する。
【００５０】
ステップＳ１１では、ステップＳ１０での定常状態であるとの判断に続き、定常状態開始条件が成立しているか否かを判断する。YES（定常状態開始条件成立）の場合はステップＳ１２へ進み、NO（定常状態開始条件不成立）の場合はステップＳ８へ進む。
【００５１】
ここで、「定常状態開始条件」は、所定時間（例えば、30sec程度）によるインターバルで、油圧偏差≧所定圧、且つ、実セカンダリ圧＜油量収支下限圧という条件を設定時間（例えば、1.5sec程度）継続する状態を２回経験することで与えられる。つまり、インターバル時間を挟んでセカンダリ圧低下条件の成立/不成立を前後２回判断し、セカンダリ圧低下条件が前後２回の何れも成立することで与えられる。
【００５２】
ステップＳ１２では、ステップＳ１１での定常状態開始条件成立であるとの判断に続き、ステップＳ６と同様に、ディザONにし、ステップＳ１３へ進む。
【００５３】
ステップＳ１３では、ステップＳ１２でのディザONに続き、終了条件が成立しているか否かを判断する。YES（終了条件成立）の場合はステップＳ８へ進み、NO（終了条件不成立）の場合はステップＳ１２へ戻る。
【００５４】
ここで、「終了条件」は、ディザONからの作動タイマカウントが所定時間（例えば、1sec程度）に到達したときとされる。なお、「終了条件」としては、油圧偏差＜所定圧となって所定時間が経過したとき、実セカンダリ圧≧油量収支下限圧となって所定時間が経過したとき、等のようにベルト３の滑り可能性が無くなったことを示す条件により与えても良い。
【００５５】
ステップＳ１４では、ステップＳ１０での過渡状態であるとの判断に続き、過渡状態開始条件が成立しているか否かを判断する。YES（過渡状態開始条件成立）の場合はステップＳ１５へ進み、NO（過渡状態開始条件不成立）の場合はステップＳ８へ進む。
【００５６】
ここで、「過渡状態開始条件」は、過渡状態を所定時間（例えば、1.0sec程度）経験し、且つ、油圧偏差≧ΔP1（例えば、2Mpa程度）と油量収支下限圧−実セカンダリ圧≧ΔP1（例えば、2Mpa程度）のうち何れかを経験することで与えられる。つまり、「過渡状態開始条件」と「定常状態開始条件」とは異なる条件により与えられる。「定常状態開始条件」は、セカンダリ圧低下判定があってからディザ作動を開始するまで時間を遅らせる条件設定であり、セカンダリ圧低下判定のイメージとしては、図６に示すように、矢印Ａで示す右上がりハッチング領域に設定される。一方、「過渡状態開始条件」は、セカンダリ圧低下判定があってからディザ作動を開始するまで時間を、「定常状態開始条件」に比べて短縮する条件設定であり、セカンダリ圧低下判定のイメージとしては、図６に示すように、矢印Ｂで示すクロスハッチング領域に設定される。
【００５７】
ステップＳ１５では、ステップＳ１４での過渡状態開始条件成立であるとの判断に続き、ステップＳ６，Ｓ１２と同様に、ディザONにし、ステップＳ１６へ進む。
【００５８】
ステップＳ１６では、ステップＳ１５でのディザONに続き、終了条件が成立しているか否かを判断する。YES（終了条件成立）の場合はステップＳ８へ進み、NO（終了条件不成立）の場合はステップＳ１５へ戻る。
【００５９】
ここで、「終了条件」は、ディザONからの作動タイマカウントが所定時間（例えば、1sec程度）に到達したときとされる。なお、「終了条件」としては、油圧偏差＜所定圧となって所定時間が経過したとき、実セカンダリ圧≧油量収支下限圧となって所定時間が経過したとき等のように、ベルト３の滑り可能性が無くなったことを示す条件により与えても良い。
【００６０】
次に、作用を説明する。
実施例の作用を「ベルト滑り対策によるディザ制御」、「ベルト滑り対策によるディザ作動判定制御処理作用」、「安全率判定によるディザ作動制御作用」、「セカンダリ圧低下判定（定常）によるディザ作動制御作用」、「セカンダリ圧低下判定（過渡）によるディザ作動制御作用」に分けて説明する。
【００６１】
［ベルト滑り対策によるディザ制御］
先ず、油圧制御弁に異物が進入したとき、ソレノイドに対してディザ電流を供給し、バルブスプールにピストン運動を生じさせて異物（コンタミ）を除去することが有効であることが知られている（特開平11-82724号公報等参照）。一方、本発明者は、油圧制御弁のソレノイドに対して高頻度でディザ電流を供給し続けたりすると、油圧制御弁に余計な負荷がかかり、油圧制御弁の耐久信頼性を損なうことを知見した。さらに、油圧制御弁のコンタミステックによる問題として、油圧制御弁からの出力油圧の変動による油振発生があるのに加え、油圧制御弁からの出力油圧の低下によるベルト滑り発生があることを知見した。
【００６２】
そこで、コンタミステックによる問題のうちベルト滑り発生に着目し、下記の構成を採用したのが本発明のベルト滑り対策によるディザ制御である。即ち、プーリ油圧制御中、ベルトの滑りが発生する可能性を判定するベルト滑り判定情報を取得する。そして、ベルト滑り判定情報に基づいてベルト滑りが発生する可能性が高い状況であると判定された場合に限り、ソレノイドに対してディザ電流を供給するようにした。
【００６３】
実施例のベルト滑り対策によるディザ制御は、図４に示すように、プーリ油圧制御中、指示セカンダリ圧と実セカンダリ圧との乖離による油圧偏差を計算する（図４のＳ１）。そして、油圧偏差が所定圧以上のとき（図４のＳ２でYES）、安全率判定によるディザ制御（図４のＳ３〜Ｓ７）とセカンダリ圧低下判定によるディザ制御（図４のＳ９〜Ｓ１６）との両制御を並列に実行する。
【００６４】
安全率判定によるディザ制御では、ベルト滑り判定情報として、必要ベルト推力に対する実ベルト推力の比である安全率を用いている。一方、セカンダリ圧低下判定によるディザ制御では、ベルト滑り判定情報として、指示セカンダリ圧と、実セカンダリ圧と、オイルポンプ４からの吐出油量に基づく油量収支により決まる実セカンダリ圧の油量収支下限圧と、を用いている。
【００６５】
さらに、セカンダリ圧低下判定によるディザ制御を実行する際、プーリ油圧制御が定常状態（図４のＳ１０でYES）であるか、プーリ油圧制御が過渡状態（図４のＳ１０でNO）であるかにより開始条件を異ならせている。
【００６６】
そこで、実施例でのベルト滑り対策によるディザ作動判定制御処理作用を説明する。そして、ディザ作動制御作用を、安全率判定によるディザ作動制御作用、セカンダリ圧低下判定（定常）によるディザ作動制御作用、セカンダリ圧低下判定（過渡）によるディザ作動制御作用に分けて説明する。
【００６７】
［ベルト滑り対策によるディザ作動判定制御処理作用］
以下、図４のフローチャートに基づいてベルト滑り対策によるディザ作動制御処理作用を説明する。
【００６８】
判定許可条件の成立により処理をスタートすると、油圧偏差＜所定圧のときは、図４のフローチャートにおいて、ステップＳ１→ステップＳ２→ステップＳ８→リターンへと進む流れが繰り返される。ステップＳ８では、各油圧制御弁５，６，７のソレノイド５ａ，６ａ，７ａに対してディザ電流波形を重畳することなく、ベース電流指示値によるリップル電流波形を印加するディザOFFとされる。そして、油圧偏差≧所定圧になると、ステップＳ２からステップＳ３以降の安全率判定によるディザ作動判定制御処理と、ステップＳ２からステップＳ９以降のセカンダリ圧低下判定によるディザ作動判定制御処理とに分かれ、２つの処理が互いに並列に実行される。
【００６９】
安全率判定によるディザ作動判定制御処理では、油圧偏差≧所定圧、且つ、安全率＜所定値であると、ステップＳ１→ステップＳ２→ステップＳ３→ステップＳ４→ステップＳ５へと進み、ステップＳ５では、安全率開始条件が成立しているか否かが判断される。そして、安全率＜所定値である状態を入りタイマカウントによる設定時間以上継続すると、ステップＳ５にて安全率開始条件が成立と判断されることで、ステップＳ６→ステップＳ７へ進み、ステップＳ７にて終了条件不成立と判断されている間、ステップＳ６→ステップＳ７へと進む流れが繰り返される。ステップＳ６では、ディザONにされ、ディザONに基づいてディザ制御作動要求フラグが出力されると、各油圧制御弁５，６，７のソレノイド５ａ，６ａ，７ａに対して印加するベース電流指示値によるリップル電流波形にディザ電流波形が重畳される。そして、ディザONからの作動タイマカウントが所定時間に到達し、ステップＳ７にて終了条件成立と判断されると、ステップＳ７からステップＳ８→リターンへと進み、ディザONがディザOFFに切り替えられる。
【００７０】
セカンダリ圧低下判定によるディザ作動判定制御処理では、油圧偏差≧所定圧、且つ、実セカンダリ圧＜油量収支下限圧であると、ステップＳ１→ステップＳ２→ステップＳ９→ステップＳ１０へと進む。ステップＳ１０では、変速油圧制御が定常状態であるか否かが判断され、定常状態と判断された場合は、ステップＳ１１以降のセカンダリ圧低下判定（定常）によるディザ作動判定制御処理へ進み、過渡状態と判断された場合は、ステップＳ１４以降のセカンダリ圧低下判定（過渡）によるディザ作動判定制御処理へ進む。
【００７１】
セカンダリ圧低下判定（定常）によるディザ作動判定制御処理では、ステップＳ１０からステップＳ１１へと進み、ステップＳ１１では、定常状態開始条件が成立しているか否かが判断される。そして、所定時間のインターバルで、油圧偏差≧所定圧、且つ、実セカンダリ圧＜油量収支下限圧という条件を設定時間継続する状態を２回経験すると、ステップＳ１１にて定常状態開始条件が成立と判断される。定常状態開始条件が成立と判断されると、ステップＳ１１からステップＳ１２→ステップＳ１３へ進み、ステップＳ１３にて終了条件不成立と判断されている間、ステップＳ１２→ステップＳ１３へと進む流れが繰り返される。ステップＳ１２では、ディザONにされ、ディザONに基づいてディザ制御作動要求フラグが出力されると、各油圧制御弁５，６，７のソレノイド５ａ，６ａ，７ａに対して印加するベース電流指示値によるリップル電流波形にディザ電流波形が重畳される。そして、ディザONからの作動タイマカウントが所定時間に到達し、ステップＳ１３にて終了条件成立と判断されると、ステップＳ１３からステップＳ８→リターンへと進み、ディザONがディザOFFに切り替えられる。
【００７２】
セカンダリ圧低下判定（過渡）によるディザ作動判定制御処理では、ステップＳ１０からステップＳ１４へと進み、ステップＳ１４では、過渡状態開始条件が成立しているか否かが判断される。そして、過渡状態を所定時間経験し、且つ、油圧偏差≧ΔP1と油量収支下限圧−実セカンダリ圧≧ΔP1のうち何れかを経験すると、ステップＳ１４にて過渡状態開始条件が成立と判断される。過渡状態開始条件が成立と判断されると、ステップＳ１４からステップＳ１５→ステップＳ１６へ進み、ステップＳ１６にて終了条件不成立と判断されている間、ステップＳ１５→ステップＳ１６へと進む流れが繰り返される。ステップＳ１５では、ディザONにされ、ディザONに基づいてディザ制御作動要求フラグが出力されると、各油圧制御弁５，６，７のソレノイド５ａ，６ａ，７ａに対して印加するベース電流指示値によるリップル電流波形にディザ電流波形が重畳される。そして、ディザONからの作動タイマカウントが所定時間に到達し、ステップＳ１６にて終了条件成立と判断されると、ステップＳ１６からステップＳ８→リターンへと進み、ディザONがディザOFFに切り替えられる。
【００７３】
［安全率判定によるディザ作動制御作用］
図７は、安全率判定によるディザ作動時における安全率・ディザ制御作動要求フラグを示すタイムチャートである。以下、図７に基づいて安全率判定によるディザ作動制御作用を説明する。
【００７４】
時刻t1までは安全率が１以上である状態から１に向かって徐々に低下している。そして、時刻t1になると安全率が１未満となって安全率＜所定値である状態に入ることで、タイマカウントが開始される。そして、タイマカウントが開始されてから設定時間ΔT1（50msec程度）を経過して時刻t2になると、ディザONによるディザ作動が開始され、時刻t3までのディザ作動時間（1sec程度）の間、ディザ作動が継続される。この１回目のディザ作動により各油圧制御弁５，６，７に進入した異物が除去され、図７の矢印Ｃの枠内特性に示すように、安全率が１未満の状態から１以上の状態まで回復する。
【００７５】
時刻t3にて安全率が１以上まで回復したが、例えば、各油圧制御弁５，６，７に進入した異物が完全に除去されていない場合、時刻t3以降のディザOFFの間に安全率が徐々に低下する。そして、時刻t4になると安全率が１未満となって安全率＜所定値である状態に入ることで、タイマカウントが開始される。そして、タイマカウントが開始されてから設定時間ΔT1（50msec程度）を経過して時刻t5になると、ディザONによるディザ作動が開始され、時刻t6までのディザ作動時間（1sec程度）の間、ディザ作動が継続される。この２回目のディザ作動により各油圧制御弁５，６，７に進入した異物が完全に除去されると、図７の矢印Ｄの枠内特性に示すように、安全率が１未満の状態から１以上の正常状態まで回復する。
【００７６】
このように、ベルト滑り判定情報として、ベルトクランプ力の充足/不足を判定する情報である安全率を用い、安全率判定によるディザ作動時には、安全率の低下判定があってからディザ作動を開始するまでの時間を短くする安全率開始条件に設定している。具体的には、安全率＜所定値である状態を入りタイマカウントによる設定時間以上継続することを安全率開始条件としている（図４のＳ５）。このため、安全率の低下判定があると応答良くディザ作動が開始されることで、各油圧制御弁５，６，７に進入した異物の速やかな除去作用により、ベルト滑りの発生が未然に防止される。
【００７７】
［セカンダリ圧低下判定（定常）によるディザ作動制御作用］
図８は、セカンダリ圧低下判定（定常）によるディザ作動時における各特性を示すタイムチャートである。以下、図８に基づいてセカンダリ圧低下判定（定常）によるディザ作動制御作用を説明する。
【００７８】
時刻t1までは油圧偏差＜所定圧、且つ、油量収支下限圧−Secセンサ圧≦０である。そして、時刻t1にて油圧偏差≧所定圧、且つ、油量収支下限圧−Secセンサ圧＞０になり、セカンダリ圧低下判定条件が成立すると、１回目の低下（定常）判定が開始される。その後、セカンダリ圧低下判定条件が成立したままで設定時間ΔT2（1.5sec程度）を経過することで時刻t2になると、低下（定常）判定回数が“１”とされる。
【００７９】
時刻t2からインターバル時間（30sec程度）を経過した時刻t3にて油圧偏差≧所定圧、且つ、油量収支下限圧−Secセンサ圧＞０のままであり、セカンダリ圧低下判定条件が成立すると、２回目の低下（定常）判定が開始される。その後、セカンダリ圧低下判定条件が成立したままで設定時間ΔT2（1.5sec程度）を経過することで時刻t4になると、低下（定常）判定回数が“２”とされる。
【００８０】
この低下（定常）判定回数＝２の時刻t4になると、Sec圧低下フラグが、Sec圧低下フラグ＝０からSec圧低下フラグ＝１に書き替えられ、ディザ作動が開始され、時刻t5までのディザ作動時間（1sec程度）の間、ディザ作動が継続される。
【００８１】
このディザ作動により各油圧制御弁５，６，７に進入した異物が除去されると、図８の矢印Ｅの枠内特性に示すように、Secセンサ圧が目標Sec圧に向かって収束する。又、図８の矢印Ｆの枠内特性に示すように、油圧偏差が０に向かって収束する。さらに、図８の矢印Ｇの枠内特性に示すように、（油量収支下限圧−Secセンサ圧）が０以下に向かって収束し、Secセンサ圧＞油量収支下限圧の関係に回復する。
【００８２】
このように、セカンダリ圧低下判定（定常）によるディザ作動時には、セカンダリ圧低下判定があってからディザ作動を開始するまでの時間を遅らせる定常状態開始条件に設定している。具体的には、所定時間のインターバルで、油圧偏差≧所定圧、且つ、実セカンダリ圧＜油量収支下限圧という条件を設定時間継続する状態を２回経験することを定常状態開始条件としている（図４のＳ１１）。このため、定常状態でセカンダリ圧低下判定があると十分な低下確認判断を経過してディザ作動が開始されることで、各油圧制御弁５，６，７のディザ作動の頻度が低下し、各油圧制御弁５，６，７の耐久信頼性の向上に寄与する。
なお、定常状態であると、仮にディザ作動が開始される前にベルト滑りが発生してもベルト滑りの進行速度がゆっくりで遅く、問題となるベルト滑り発生までに至らない。
【００８３】
［セカンダリ圧低下判定（過渡）によるディザ作動制御作用］
図９は、セカンダリ圧低下判定（過渡）によるディザ作動時における各特性を示すタイムチャートである。以下、図９に基づいてセカンダリ圧低下判定（過渡）によるディザ作動制御作用を説明する。
【００８４】
時刻t1にてアクセル開度や車速の変化を伴う過渡状態が開始され、時刻t1から時刻t2までの所定時間ΔT4（１sec程度）の過渡状態を経験する。そして、時刻t2直後の時刻t3にて油圧偏差≧ΔP1を経験すると、時刻t3からディザONによるディザ作動が開始され、時刻t4までのディザ作動時間（1sec程度）の間、ディザ作動が継続される。
【００８５】
このディザ作動により各油圧制御弁５，６，７に進入した異物が除去されると、図９の矢印Ｈの枠内特性に示すように、Secセンサ圧が目標Sec圧に向かって収束する。又、図９の矢印Ｉの枠内特性に示すように、油圧偏差が０に向かって収束する。さらに、図９の矢印Ｊの枠内特性に示すように、（油量収支下限圧−Secセンサ圧）が０以下に向かって収束し、Secセンサ圧＞油量収支下限圧の関係に回復する。
【００８６】
このように、セカンダリ圧低下判定（過渡）によるディザ作動時には、セカンダリ圧低下判定があってからディザ作動を開始するまでの時間を、定常状態開始条件に比べて短縮する過渡状態開始条件に設定している。具体的には、過渡状態を所定時間経験し、且つ、油圧偏差≧ΔP1と油量収支下限圧−実セカンダリ圧≧ΔP1のうち何れかを経験することを過渡状態開始条件としている（図４のＳ１４）。このため、過渡状態でセカンダリ圧低下判定があると応答良くディザ作動が開始されることで、各油圧制御弁５，６，７に進入した異物の速やかな除去作用により、ベルト滑りの発生が未然に防止される。
なお、過渡状態のとき、仮にディザ作動が開始される前にベルト滑りが発生すると、アクセル開度の上昇（入力トルクの上昇）により一気にベルト滑りが進行するので、早期にディザ作動を開始する必要がある。
【００８７】
次に、効果を説明する。
実施例におけるベルト式無段変速機CVTの制御装置にあっては、下記に列挙する効果が得られる。
【００８８】
(1) 油圧制御弁５，６，７は、ベルト３が掛け渡されたプライマリプーリ１とセカンダリプーリ２へのプーリ油圧を制御する。
コントローラ（ＣＶＴコントローラ８）は、プライマリプーリ１とセカンダリプーリ２へのプーリ油圧指示値に基づいて、油圧制御弁５，６，７のソレノイド５ａ，６ａ，７ａへ出力するベース電流指示値を設定する。
この無段変速機（ベルト式無段変速機CVT）の制御装置において、コントローラ（ＣＶＴコントローラ８）は、プーリ油圧制御中、ベルト３の滑りが発生する可能性を判定するベルト滑り判定情報を取得する。
ディザ制御部５８は、ベルト滑り判定情報に基づいてベルト滑りが発生する可能性が高い状況であると判定された場合、ソレノイド５ａ，６ａ，７ａへ出力するベース電流指示値に対してディザ電流を重畳するディザ作動を実施する。
また、ディザ制御部５８は、ベルト滑り判定情報に基づいてベルト滑りが発生する可能性が高い状況であると判定されない場合、ソレノイド５ａ，６ａ，７ａへ出力するベース電流指示値に対してディザ電流を重畳するディザ作動を実施しない。
このため、プーリ油圧制御中、油圧制御弁５，６，７の耐久信頼性を損なうことなく、ベルト滑りの発生を未然に防止することができる。
【００８９】
(2) ディザ制御部５８は、プーリ油圧制御中、ベルト滑り判定情報として、必要ベルト推力に対する実ベルト推力の比である安全率を取得する。
安全率が所定値よりも低いと判定された場合、ベルト滑り可能性が高い状況であると判定し、安全率判定によるディザ制御を実行する。
このため、(1)の効果に加え、ベルト滑り判定情報として、ベルトクランプ力の充足/不足を判定する情報である安全率を用い、ベルト滑りが発生する可能性が高い状況でディザ制御を実行することができる。
【００９０】
(3) ディザ制御部５８は、安全率が所定値よりも低いとの安全率判定状態が設定時間継続することを開始条件とし、開始条件の成立によりディザ作動を開始する。
このため、(2)の効果に加え、安全率の低下判定があると応答良くディザ作動が開始されることで、各油圧制御弁５，６，７に進入した異物の速やかな除去作用により、ベルト滑りの発生を未然に防止することができる。
【００９１】
(4) ディザ制御部５８は、プーリ油圧制御中、ベルト滑り判定情報として、オイルポンプ４からの吐出油量に基づく油量収支により決まるセカンダリ圧の下限圧である油量収支下限圧を取得する。
実セカンダリ圧が油量収支下限圧より低圧であると判定された場合、ベルト滑り可能性が高い状況であると判定し、セカンダリ圧低下判定によるディザ制御を実行する。
このため、(1)の効果に加え、ベルト滑り判定情報として、実セカンダリ圧の低下を判定する情報である油量収支下限圧を用い、ベルト滑りが発生する可能性が高い状況でディザ制御を実行することができる。
【００９２】
(5) ディザ制御部５８は、セカンダリ圧低下判定によるディザ制御を実行する際、プーリ油圧制御が定常状態であるか過渡状態であるかにより開始条件を異ならせる。
定常状態での開始条件を、セカンダリ圧低下判定があってからディザ作動を開始するまでの時間を遅らせる条件に設定する。
過渡状態での開始条件を、セカンダリ圧低下判定があってからディザ作動を開始するまでの時間を、定常状態での開始条件に比べて短縮する条件に設定する。
このため、(4)の効果に加え、ベルト滑り進行速度の違いに応じて開始条件を異ならせることで、定常状態でのディザ作動の頻度低減と、過渡状態での高応答によるベルト滑りの発生防止と、の両立を図ることができる。
【００９３】
(6) ディザ制御部５８は、プーリ油圧制御中、指示セカンダリ圧と実セカンダリ圧との乖離による油圧偏差が所定圧以上であるか否かを判断する。
油圧偏差が所定圧以上であると判断された場合、必要ベルト推力に対する実ベルト推力の比である安全率を用いた安全率判定によるディザ制御と、オイルポンプ４からの吐出油量に基づく油量収支により決まる実セカンダリ圧の下限圧である油量収支下限圧を用いたセカンダリ圧低下判定によるディザ制御と、を並列に実行する。
このため、(1)の効果に加え、安全率判定によるディザ制御とセカンダリ圧低下判定によるディザ制御との併用により、ベルト３の滑りが発生する可能性を適切に判定し、ベルト滑りの発生を未然に防止することができる。即ち、実セカンダリ圧が油量収支下限圧より低圧でないときは、安全率判定によるディザ作動が実行可能であるし、安全率が所定値以上であるとき、セカンダリ圧低下判定によるディザ作動が実行可能というように、互いを補填し合う関係で作動判定が行われる。
【００９４】
以上、本発明の無段変速機の制御装置を実施例に基づき説明してきたが、具体的な構成については、この実施例に限られるものではなく、請求の範囲の各請求項に係る発明の要旨を逸脱しない限り、設計の変更や追加等は許容される。
【００９５】
実施例では、ディザ制御部５８として、油圧偏差が所定圧以上であると判断された場合、安全率判定によるディザ制御とセカンダリ圧低下判定によるディザ制御とを並列に実行する例を示した。しかし、ディザ制御部としては、安全率判定とセカンダリ圧低下判定による２つのディザ制御を併用する必要は無く、安全率判定によるディザ制御のみを行う例としても良いし、セカンダリ圧低下判定によるディザ制御のみを行う例としても良い。
【００９６】
実施例では、本発明の無段変速機の制御装置を、エンジン車やハイブリッド車等のエンジン搭載車に適用する例を示した。しかし、本発明の無段変速機の制御装置は、油圧制御による無段変速機を搭載する車両であれば、電気自動車や燃料電池車等に対しても適用することができる。
【図１】
2019098162.tif 000003
【図２】
2019098162.tif 000004
【図３】
2019098162.tif 000005
【図４】
2019098162.tif 000006
【図５】
2019098162.tif 000007
【図６】
2019098162.tif 000008
【図７】
2019098162.tif 000009
【図８】
2019098162.tif 000010
【図９】
2019098162.tif 000011
【国際調査報告】
2019098162.tif 000012
2019098162.tif 000013
2019098162.tif 000014